(57)【要約】 【課題】  案内筒接続部と案内筒との着脱操作を簡易に行い得、管接続が強固で漏水のおそれが無く、トラップの分解清掃を簡易に実施し得るエルボ装置を提供する。【解決手段】  案内筒接続部１２を備えるエルボ本体１と、案内筒３を内装する排水トラップ本体４と、この案内筒３と案内筒接続部１２との管接続状態をロックするロック手段２とからなり、ロック手段２は案内筒接続部１２の外周に配備され、裾広がり状の下周部２１Ｂと案内筒接続部１２との間に案内筒３の上周部が嵌入する嵌合溝２１ｅを設けると共に、裾広がり状の下周部２１Ｂに案内筒３の上周部に設けた係合受け部３１ａに対応する係合部２１ｄを備える袴状フラップ２１と、この袴状フラップ２１に対し外嵌し且つ昇降可能に配備され、ロック時に降下して裾広がり状の下周部２１Ｂを内方向へ押圧し、上記係合部２１ｄと係合受け部３１ａとの係合をロックするリング状ロック部２３とから成る。【選択図】          図１
2010216114.tif 000002
【特許請求の範囲】
【請求項１】
案内筒接続部を備えるエルボ本体と、案内筒３を内装する排水トラップ本体と、この案内筒と案内筒接続部との管接続状態をロックするロック手段とからなり、ロック手段は案内筒接続部の外周に配備され、裾広がり状の下周部と案内筒接続部との間に案内筒の上周部が嵌入する嵌合溝を設けると共に、裾広がり状の下周部に案内筒の上周部に設けた係合受け部に対応する係合部を備える袴状フラップと、この袴状フラップに対し外嵌し且つ昇降可能に配備され、ロック時に降下して裾広がり状の下周部を内方向へ押圧し、上記係合部と係合受け部との係合をロックするリング状ロック部とから成るエルボ装置。
【請求項２】
前記袴状フラップは、案内筒接続部の上周部に一体に外嵌する筒状上周部と、筒状上周部に連続する裾広がり状の下周部とからなり、裾広がり状下周部は切欠部を介して複数枚のフラップ片が外広がり状に配備されてなることを特徴とする請求項１記載のエルボ装置。
【請求項３】
前記リング状ロック部は、袴状フラップの上周部に外嵌する押圧リングの垂直アーム上端を、エルボ本体のコーナー部に配備された回動操作部を構成するカム板の偏心軸に固定してなり、回動操作部の回動操作で押圧リングが昇降動するものであることを特徴とする請求項１記載のエルボ装置。
【請求項４】
前記袴状フラップの上周部外面にネジ部をもうけ、このネジ部に螺合する歯をリング状ロック部を構成する押圧リングの内面に設けることで、リング状ロック部に回動操作機能を兼用させたものであることを特徴とする請求項１記載のエルボ装置。
【発明の詳細な説明】
【技術分野】
【０００１】
この発明は、エルボ装置、例えば洗濯機の排水を防水パンの排水トラップに導水するのに使用されるエルボ装置に関する。
【背景技術】
【０００２】
従来、洗濯機の排水を排水トラップに導水するエルボとして、図８に示すようなものが一般的に使用されている。
【０００３】
このエルボ１は、所謂Ｌ字型管継手で、一方に洗濯機の排水ホースに接続するホース接続部１１、他方に排水トラップ４の案内筒（消泡管）３に接続する案内筒接続部１２を備えている。
【０００４】
図８で示すように、防水パンの床面に埋設状に配備される排水トラップは、上開口有底の排水トラップ本体４内に内筒４２を嵌入し、この内筒４２内にラッパ筒４３並びにラッパ筒４３の下部を嵌入する案内筒（消泡管）３を嵌挿配備している。案内筒３の上部は、トラップ本体４の上開口面に配備される目皿４１より上方へ臨出している。そして、上記エルボ１の案内筒接続部１２が、案内筒３の上部に内嵌されている。
【特許文献１】特開２００６−９７４０８号公報
【発明の開示】
【発明が解決しようとする課題】
【０００５】
上記エルボでは、案内筒接続部が排水トラップの案内筒に対し、単に挿し込み状に嵌挿する構成となっている。
このため、排水時の強い水流と震動とに起因して、この接続が外れ漏水するおそれがあった。
【０００６】
そこで、近年は、図８で示すように、案内筒３の上周部の内面に内方向へ突出する固定用突条３３を膨出配備している。この場合、案内筒接続部１２は固定用突条３３によって内径が縮小された分、緊密に嵌着される反面、エルボと案内筒との着脱作業が極めて困難となる不利がある。
【０００７】
更に、エルボと案内筒との挿脱は床面に対し上下方向へ抜き挿しする構成であるため、緊密に嵌着固定されたエルボを外すには、上方向への十分な空間が要求される。ところが、この上方には大重量で容易には動かし難い洗濯機が存在する。この結果、排水トラップの分解清掃を行い難い不利があった。
【０００８】
この発明は、以上のような課題を解消させ、案内筒接続部と案内筒との着脱操作を簡単容易に行い得る許かりでなく、管接続が強固で、且つ漏水のおそれが無く、しかも排水トラップの分解清掃を簡易に実施し得る衛生的で使い勝手の良いエルボ装置を提供することを目的とする。
【課題を解決するための手段】
【０００９】
この目的を達成させるために、この発明のエルボ装置では、次のような構成としている。
【００１０】
エルボ装置は、案内筒接続部を備えるエルボ本体と、案内筒を内装する排水トラップ本体と、この案内筒と案内筒接続部との管接続状態をロックするロック手段とからなり、ロック手段は案内筒接続部の外周に配備され、裾広がり状の下周部と案内筒接続部との間に案内筒の上周部が嵌入する嵌合溝を設けると共に、裾広がり状の下周部に案内筒の上周部に設けた係合受け部に対応する係合部を備える袴状フラップと、この袴状フラップに対し外嵌し且つ昇降可能に配備され、ロック時に降下して裾広がり状の下周部を内方向へ押圧し、上記係合部と係合受け部との係合をロックするリング状ロック部とから成ることを特徴としている。
【発明の効果】
【００１１】
このような構成を有するエルボ装置では、裾広がり状の下周部と案内筒接続部との間の嵌合溝に案内筒を嵌着し、この嵌着状態で係合部と係合受け部とを係合させ、且つこの係合状態を昇降するリング状ロック部で固定することとしたから、案内筒は開口幅の大きい嵌合溝に対し容易に挿脱させ得る。
【００１２】
しかも、嵌合溝に嵌着した状態の案内筒と裾広がり状下周部とは、対応する係合部と係合受け部とが係合し、且つリング状ロック部によって、この係合状態が強力に固定され、意に反する嵌合脱落や漏水のおそれが解消される。
【００１３】
更に、リング状ロック部は、単に操作部を回動させるだけで昇降動して裾広がり下周部を内方向への締め付け、及びこの締め付け解除を行い得る。従って、ロック及びロック解除の操作が簡単且つ容易である。
【００１４】
しかも手指を挿入し得る僅かな隙間空間でロック操作が実行できるから、重量のある洗濯機を移動させる必要がなく、排水トラップの分解清掃を容易に実行し得る等、発明目的を達成した優れた効果を有する。
【発明を実施するための最良の形態】
【００１５】
以下、図面に基づき本発明に係るエルボ装置の具体的な実施の形態を説明する。
【００１６】
図１は、エルボ装置の分離斜視図である。
【００１７】
エルボ装置は、エルボ本体１と、排水トラップの案内筒（消泡管）３と、ロック手段２とから成る。
【００１８】
エルボ本体１は、比較的軟質な樹脂製で、一方にホース接続部１１と他方に案内筒接続部１２とを備えるＬ字状の管継手である。図４で示すように、このエルボ本体１の案内筒接続部１２が排水トラップ本体４の案内筒（消泡管）３に嵌着してエルボ本体１と排水トラップ本体４とが接続される。
【００１９】
上記案内筒３は、基端部３２に載せ置部３２ａを周設し、排水トラップ本体１の内筒に嵌入配備してある。この状態で、案内筒３の上周部３１は排水トラップ本体４１の開口上面の目皿４１より上方に臨出している。
【００２０】
また、この案内筒３の上周部３１の外面には、一周する凹み状の係合受け部３１ａが設けてある。この凹み部（係合受け部）３１ａが、後述する袴状フラップ２１の係合部２１ｄに対応して係合する。
【００２１】
前記ロック手段２は、エルボ本体１のコーナー部１３に配備してある。
ロック手段２は、案内筒接続部１２の上方に配備される袴状フラップ２１と、エルボ本体１のコーナー部１３より突設される回動軸２２ａに取り付けされた回動操作部２２と、この回動操作部２２の偏心突軸２２ｃに固定され、袴状フラップ２１の外周を一周するリング状ロック部２３とから構成される。
【００２２】
袴状フラップ２１は、筒状の上周部２１ａと上周部２１ａに連続する裾広がり状の下周部２１Ｂとから成るラッパ状の筒体である。この上周部２１ａは、案内筒接続部１２の上周面の外側に一体に嵌着している。
【００２３】
裾広がり状の下周部２１Ｂは、切欠部２１ｃを介して分離する柔軟性を有する４枚のフラップ片２１ｂを円陣状に配列して構成している。各フラップ片２１ｂは、下方へ外広がり状に設定し、且つ下部に向けて漸次肉厚に設定し、この下端肉厚部を上記係合受け部３１ａに対応する係合部２１ｄとしている。
【００２４】
上記４枚のフラップ片２１ｂで構成される袴状フラップ２１の下周部２１Ｂには、案内筒接続部１２との間に、案内筒３の上周部３１が容易に嵌合し得る開口幅の大きい嵌合溝２１ｅが設けてある。
【００２５】
前記回動操作部２２は、コーナー部１３の上方を囲むようなアーチ型アーム２２ｅの下部にカム板２２ｂが一体に取付けられ、このカム板２２ｂが回動軸２２ａに回動可能に配備されている。
【００２６】
上記リング状ロック部２３は、左右一対の垂直アーム２３ａと垂直アーム２３ａの下端に連続する押圧リング２３ｃとから成る。
【００２７】
垂直アーム２３ａの上部が、前記偏心突軸２２ｃに嵌着固定され、下方の押圧リング２３ｃを常態において、袴状フラップ２１の上周部２１ａに対応する位置に外嵌め状に吊り下げ配備している。
【００２８】
この押圧リング２３ｃは、回動操作部（アーチ型アーム２２ｅ）２２の回動操作により、袴状フラップ２１の上周部２１ａからフラップ片２１ｂ下端までの距離を昇降動する。
【００２９】
尚、図２及び図３で示すように、押圧リング２３ｃの上部内面には、内向きの係合突子２３ｄが突設され、一方、案内筒接続部１２の上周部２１ａには、この係合突子２３ｄが嵌入する案内溝２１ｆが設けられ、押圧リング２３ｃのスムーズな昇降動を企図している。
【００３０】
このような構成を有するエルボ装置では、回動操作部２２すなわちアーチ型アーム２２ｅを起立させた状態においては、リング状ロック部２３すなわち押圧リング２３ｃは袴状フラップ２１の上周部２１ａ上に位置している。
【００３１】
いま、図２で示すように、案内筒３の上周部３１を嵌合溝２１ｅに嵌合する。嵌合溝２１ｅは、フラップ片２１ｂにより開口間口が大きい。従って、案内溝２１ｅの嵌脱が容易である。
【００３２】
案内筒３の先端部３１ｂが嵌合溝２１ｅ底に突き当たったとき、フラップ片２１ｂの係合部（肉厚部）２１ｄと、係合受け部（凹み部）３１ａとが対向している。従って、案内筒３と案内筒接続部１２とは抜き挿し自由状態にある。
【００３３】
図３及び図４で示すように、回動操作部２２の起立状態にあるアーチ型アーム２２ｅを、ホース接続部１１側へ回動（伏倒）させると、リング状ロック部２３すなわち押圧リング２３ｃが裾広がり状の下周部２１Ｂ、つまりフラップ片２１ｂ上へ降下する。
【００３４】
これにより、裾広がり状のフラップ片２１ｂは、切欠部２１ｃ幅が狭まり、径が縮小する。そして、押圧リング２３ｃの押圧を受けて対向していた係合部２１ｄと係合受け部３１ａとが係合する。更に、押圧リング２３ｃはロック解除、つまり押圧リング２３ｃが上昇するまで、この係合状態を押圧固定する。
【００３５】
一方、このロック状態（図３状態）から、アーチ型アーム２２ｅを回動（起立）させると、押圧リング２３c が上昇し、押圧リング２３ｃの押圧から開放されたフラップ片２１ｂが裾広がり状に復帰する。これにより、上記係合状態も解除され、案内筒３と案内筒接続部１２とは自由な抜き挿し状態となる（図２参照）。
【００３６】
図５は、係合部と係合受け部の他の実施の形態を示す説明断面図である。この実施の形態では、フラップ片２１ｂの肉厚を等しくし、且つ先端を直角に屈曲させたカギ状係合部２１ｆとしている。また、案内筒３側の係合受け部も案内筒３の上周縁にカギ状係合受け部３１ｃを設けている。この場合、一層、強固な係合状態が得られる。
【００３７】
図６は、係合部と係合受け部の更に他の実施の形態を示す説明断面図である。この実施の形態では、フラップ片２１ｂの内面に凹み状の溝条２１ｇを設けて係合部とし、案内筒３の上周部３１に係合部２１ｇに対応する突条３１ｄを設けて係合受け部に設定している。
【００３８】
図７は、ロック手段２の回動操作部２２とリング状ロック部２３とを兼用させた実施の形態を示している。つまり、この実施の形態では、案内筒接続部１２の上部、すなわちハカマ状フラップ２１の上周部２１ａの外面にネジ部２１ｈを設けると共に、押圧リング２３ｃの内面にネジ部２１ｈに螺合する歯２３ｅを設けた例を示している。この実施の形態の場合、押圧リング２３ｃを回動するとそれ自体、つまり押圧リング２３ｃが昇降動する。従って、回動操作部２２を省略し得る。
【図面の簡単な説明】
【００３９】
【図１】実施の形態のエルボ装置を示す分離斜視図である。
【図２】ロックを解除した状態を示す要部断面の説明図である。
【図３】ロック状態を示す要部断面の説明図である。
【図４】エルボと案内筒の接続をロックした状態を示す側面図である。
【図５】係合部と係合受け部との他の実施の形態を示す説明図である。
【図６】係合部と係合受け部との更に他の実施の形態を示す説明図である。
【図７】回動操作部を省略したロック手段の他の実施の形態を示す説明図である。
【図８】現在、一般に使用されている従来例のエルボを示す説明断面図である。
【符号の説明】
【００４０】
１      エルボ本体
２      ロック手段
３      案内筒
４      排水トラップ本体
１１    ホース接続部
１２    案内筒接続部
１３    コーナー部
２１    袴状フラップ
２２    回動操作部
２１    枠体状フック部
２２    枠体状フック部
２３    リング状ロック部
２１ａ  上周部（袴状フラップの上周部）
２１Ｂ  裾広がり状の下周部
２１ｄ  係合部
２２ｅ  アーチ型アーム
２３ｃ  押圧リング
３１ａ  係合受け部
４１    目皿
【図１】
2010216114.tif 000003
【図２】
2010216114.tif 000004
【図３】
2010216114.tif 000005
【図４】
2010216114.tif 000006
【図５】
2010216114.tif 000007
【図６】
2010216114.tif 000008
【図７】
2010216114.tif 000009
【図８】
2010216114.tif 000010